(57)【要約】【課題】撮像素子やシャッタ装置に対し光学フィルタを着脱自在に設けた撮像装置を提供する。【解決手段】撮像ユニット５３は、撮像素子３４、撮像素子固定板３５及び回路基板３６から成る撮像素子ユニットにネジ止めされたシャッタ枠３７に、シャッタユニット７、弾性部材５４、光学フィルタ４２の順に積層し、これらの上からシャッタユニット固定部材４３を押し込むことによりシャッタユニット固定部材４３の爪部４７が上下に開いてシャッタ枠３７の切り欠き部４８を摺接し、爪部４７の鉤部４７−１がシャッタ枠３７の外側面４８−１に係合すると、弾性部材５４の弾性力により一方ではシャッタユニット７がシャッタ枠３７に向けて押圧され、他方では光学フィルタ４２がシャッタユニット固定部材４３に向けて押圧されて全体が固定される。爪部４７を上下に広げてシャッタ枠３７との係合を解除して光学フィルタ４２のみを撮像ユニット５３から容易に取り外すことができる。【選択図】      図９
2005326752.tif 000002
【特許請求の範囲】
【請求項１】
光電変換素子への露光量を制御するための光量調節装置及び光学フィルタを有する撮像装置において、
前記光電変換素子に対し、前記光量調節装置及び前記光学フィルタを着脱自在に保持する保持手投を有することを特徴とする撮像装置。
【請求項２】
前記光量調節装置は、前記保持手段により前記光量調節装置の厚み方向に押圧されていることを特徴とする請求項１記載の撮像装置。
【請求項３】
前記保持手段は、スナップフィット機構を応用していることを特徴とする請求項１記載の撮像装置。
【請求項４】
前記保持手段は、前記光量調節装置と前記光学フィルタとを一体として前記光電変換素子から着脱自在に保持することを特徴とする請求項１記載の撮像装置。
【請求項５】
前記保持手段は、前記光量調節装置と前記光学フィルタとを、それぞれ着脱自在に保持することを特徴とする請求項１記載の撮像装置。
【請求項６】
前記光学フィルタは、前記光量調節装置に対し、弾性部材を介して着脱自在に保持されることを特徴とする請求項１記載の撮像装置。
【請求項７】
前記光学フィルタは、前記光量調節装置の前記光電変換素子側に設けられたことを特徴とする請求項１記載の撮像装置。
【請求項８】
前記光学フィルタは、前記光量調節装置の前記光電変換素子とは反対側に設けられたことを特徴とする請求項１記載の撮像装置。
【請求項９】
前記光量調節装置は、静電気力を応用して動作することを特徴とする請求項１記載の撮像措置。
【請求項１０】
前記光学フィルタは、高周波成分の透過を制限する機能を有することを特徴とする請求項１記載の撮像装置。
【請求項１１】
前記光学フィルタは、可視域外の光線の透過を制限する機能を有することを特徴とする請求項１記載の撮像装置。
【請求項１２】
前記光量調節装置は、フォーカルプレーンシャッタであることを特徴とする請求項１記載の撮像装置。
【請求項１３】
請求項１乃至１２のいずれかに記載の撮像装置が光学系のシャッタ位置又は絞り位置に組み込まれていることを特徴とするカメラ。
【発明の詳細な説明】
【技術分野】
【０００１】
本発明は、シャッタ等の光量調節装置に光学フィルタを着脱自在に設けた撮像装置に関する。
【背景技術】
【０００２】
近年、デジタル一眼レフカメラが普及してきている。一般に、デジタル一眼レフカメラは、レンズの交換が出来るように構成されている。ところが、レンズの交換時には空気中のごみがカメラの内部に入り易い。また、シャッタがメカニカルフォーカルプレーンシャッタである場合、シャッタの動作時にごみが発生することがある。このため、光学的ローバスフィルタ、赤外カットフィルタ等の光学フィルタを、撮像素子とメカニカルフォーカルプレーンシャッタとの間に配置し、内部に入り込んだ又は内部で発生したごみが、撮像面から離れた位置にある光学フィルタ面に付着するようにして、ごみの影響が撮像面の結像に現われにくいような構成としている。（例えば、特許文献１参照。）
【特許文献１】特開２００２−０１０１３７号公報（［要約］、図３）
【発明の開示】
【発明が解決しようとする課題】
【０００３】
ところで、上記のように、ごみの付着した影が目立たなくなるように、撮像素子の撮像面とフォーカルプレーンシャッタ（光量調節装置）との間に光学フィルタを配置していることから、光学フィルタに不具合が生じたとき、又は撮像素子に不具合が生じたときに、それらの修理又は交換の作業では、少なくともフォーカルプレーンシャッタを外さないと光学フィルタや撮像素子を交換する作業ができず、このフォーカルプレーンシャッタの取り外し作業が煩雑であるという問題がある。
【０００４】
また、このことは工場における撮像装置の組立工程においても同様で、撮像素子、光学フィルタ、フォーカルプレーンシャッタの順に、又はこの逆の順に、組み付けていく組立工程における作業は、なかなか煩雑なものとなって組み立て作業能率の向上を阻害する一因ともなっている。
【０００５】
本発明の課題は、上記従来の実情に鑑み、撮像素子やシャッタ装置に対し光学フィルタを着脱自在に設けた撮像装置を提供することである。
【課題を解決するための手段】
【０００６】
先ず、第１の発明の撮像装置は、光電変換素子への露光量を制御するための光量調節装置及び光学フィルタを有する撮像装置において、上記光電変換素子に対し、上記光量調節装置及び上記光学フィルタを着脱自在に保持する保持手投を有して構成される。
上記光量調節装置は、例えば上記保持手段により上記光量調節装置の厚み方向に押圧されているように構成される。
【０００７】
上記保持手段は、例えばスナップフィット機構を応用して構成され、また、例えば上記光量調節装置と上記光学フィルタとを一体として上記光電変換素子から着脱自在に保持するように構成され、また、例えば上記光量調節装置と上記光学フィルタとを、それぞれ着脱自在に保持するように構成される。
【０００８】
上記光学フィルタは、例えば上記光量調節装置に対し、弾性部材を介して着脱自在に保持されるように構成され、また、例えば上記光量調節装置の上記光電変換素子側に設けられるように構成してもよく、また、例えば上記光量調節装置の上記光電変換素子とは反対側に設けられるように構成していもよい。
【０００９】
上記光量調節装置は、例えば静電気力を応用して動作するように構成され、また、例えばフォーカルプレーンシャッタで構成される。
また、上記光学フィルタは、高周波成分の透過を制限する機能を有するように構成してもよく、また、例えば可視域外の光線の透過を制限する機能を有するように構成してもよい。
【００１０】
次に、第２の発明のカメラは、上記に記載のいずれかの撮像装置を光学系のシャッタ位置又は絞り位置に組み込まれて構成される。
【発明の効果】
【００１１】
本発明によれば、光量調節装置又は光学フィルタに何らかの不具合が発生した場合でも不具合のある部分のみを容易に交換することができるので、製品組立工程での歩留まが向上する。
また、同様に光量調節装置又は光学フィルタに何らかの不具合が発生した場合でも不具合のある部分のみ交換することができるので、製品修理期間を短縮することができ、顧客の満足度を向上させることができて営業活動に貢献することができる。
【発明を実施するための最良の形態】
【００１２】
以下、本発明の実施の形態を図面を参照しながら説明する。
（実施例１〜４）
図１(a) は、本発明の撮像装置が組み込まれた一眼レフデジタルカメラ本体の交換レンズを取り外した正面図であり、同図(b) はその交換レンズの正面図である。同図(a) に示す一眼レフデジタルカメラ本体１は、交換レンズ取り付け部２から同図(b) に示す交換レンズ３を取り外してレンズ背後に在る内部構成を示している。
【００１３】
同図(a) に示す内部構成において、同図では陰になって見えない奥部の光電変換素子の焦点面に対して被写体側の近傍には、静電気力を応用したフォーカルプレーンシャッタ（光量調節装置）と光学フィルタとが組み込まれた撮像装置４が組み込まれている。同図では撮像装置４の中央部分が見えている。尚、同図(a) には撮像装置４を図示しやすくするために、本来はその手前に配置されているクイックリターンミラーの図示を省略している。この一眼レフデジタルカメラ本体１は、図の左側に電池室を兼ねた握り部５があり、その上面部にシャッタボタン６を備えている。
【００１４】
図２(a) は、本発明の撮像装置４に組み込まれるフォーカルプレーンシャッタ装置の一例を示す分解斜視図であり、同図(b) は、同図(a) のＡ矢視図である。同図(a) に示すように、本例のフォーカルプレーンシャッタ装置７は、同図(a) の左から示す第１の基板８、第１のスペーサ９、第１の遮光幕１０、仕切兼干渉防止部材１１、第２の遮光幕１２、第２のスペーサ１３、及び第２の基板１４とで構成される。
【００１５】
第１の基板８は、例えばガラス板のような透明な部材からなり、組み立て後に外側となる面には光学的開口部１５を除く全面に例えば黒色の塗装１６等により遮光処理がなされている。また、組み立て後に内側となる面には、同図(b) に示すように、光学的開口部１５と遮光幕非移動部１７を除く面全面に、帯状電極１８が設けられている。
【００１６】
第２の基板１４も同様にガラス板のような透明な部材からなり、第１の基板８に対し、仕切兼干渉防止部材１１の中心点に対し点対称の形状で、光学的開口部１９と遮光幕非移動部２１を除く内側面全面に帯状電極２２が設けられている。
第１のスペーサ９は、第１の基板８と仕切兼干渉防止部材１１との間に第１の遮光幕１０が移動可能な間隙を維持するために配置されている。第２のスペーサ１３も同様に、第２の基板１４と仕切兼干渉防止部材１１との間に第２の遮光幕１２が移動可能な間隙を維持するために配置されている。
【００１７】
第１の遮光幕１０及び第２の遮光幕１２は、詳しくは後述するが、予め所望のピッチで電気的に分極されたエレクトレットが施されており、それぞれ第１のスペーサ９及び第２のスペーサ１３の枠内に嵌入し、第１の基板８の帯状電極１８及び第２の基板１４の帯状電極２２によって、あるときは光学的開口部１５及び１９の光路を遮断し、あるときは開放するように駆動される。
【００１８】
本例の仕切兼干渉防止部材１１は、透明の板ガラスで形成されており、第１の遮光幕１０と第２の遮光幕１２の間に介在して配置され且つ第１の遮光幕１０及び第２の遮光幕１２と第２の基板１４に設けられた帯状電極２２及び第１の基板８に設けられた帯状電極１８との間にそれぞれ所定の間隔を形成することにより、一方では、第１の遮光幕１０と第２の遮光幕１２の移動時の干渉を防止し、他方では、第１の基板８に設けられた帯状電極１８及び第２の基板１４に設けられた帯状電極２２に印加される駆動信号が、それぞれ第２遮光幕１２及び第１の遮光幕１０の駆動に影響を及ぼすことを低減させる。
【００１９】
ここで、上記フォーカルプレーンシャッタ装置７における遮光幕を駆動するシャッタ機構の駆動原理を説明する。
図３(a),(b) は、本発明の撮像装置に係わるシャッタ機構の駆動原理を説明する図である。尚、以下の駆動原理の説明では、第１又は第２の基板に代えて固定子２３と言い、第１又は第２の遮光幕に代えて移動子２４と言うことにする。
【００２０】
本シャッタ機構は、基本的に固定子２３と移動子２４とを備え、移動子２４は、固定子２３に対して同図(a),(b) に示すように左右方向に移動自在に構成されている。そして、固定子２３には、被写体からの光像を後述する撮像素子の受光面に導くための開口部（光学的開口部２５）が設けられ、更に、複数の帯状電極（駆動電極）２６が所定の間隔で並べて形成されている。他方の移動子２４は、遮光性を有する部材であり、永久分極された誘電体の部位を備えている。このような移動子２４の構成はエレクトレットと呼ばれている。
【００２１】
一般に、エレクトレットとは、電気を通しにくい例えばテフロン（登録商標）、ポリプロピレン、マイラーなどの高分子材料を加熱溶融し、これに直流の高電圧を加えながら電極の間で固化させたあとで電極を取り去ると、電極に接していた面が正または負に帯電し、これらの分極（正と負の電気に分かれた状態）が半永久的に保持されているもののことを称する用語である。
【００２２】
上記のシャッタ機構において、帯状電極２６に正負の電圧を周期的に印加すると、帯状電極２６と移動子２４の上記エレクトレットとの間に吸引力又は反発力が発生し、結果的に移動子２４が固定子２３に対して相対移動する。したがって、移動子２４が固定子２３の開口部（光学的開口２５）を開放又は遮蔽するように移動可能にすることによってシャッタ機構を構成することができる。
【００２３】
上述したように、この移動子２４と固定子２３とによって構成されるシャッタ機構は、静電気力を応用して動作する。図３(a) はシャッタが開の状態を示し、同図(b) はシャッタが閉の状態を示している。以下、本構成に係るシャッタ機構を「エレクトレットシャッタ」と称することにする。
【００２４】
なお、固定子２３の開口部（光学的開口２５）は、必ずしも貫通孔のような物理的な開口部とする必要はなく、固定子２３を透過部材とし、開口部に相当する位置に帯状電極２６が設けられていない透過領域を形成するようにしても良い。
図４は、本発明の撮像装置に係わるシャッタ機構のエレクトレットシャッタとその駆動回路を模式的に示す図である。同図は右にエレクトレットシャッタの断面を模式的に示し、左に駆動回路をブロック図で示している。同図に示すように、固定子２３に並べられたそれぞれの帯状電極２６には、駆動（電圧印加）回路２７からの電圧信号線が接続されている。この電圧信号線には４相の電圧信号が印加され、従って、帯状電極２６には、４本毎に同一の電圧信号が印加される。図４では、帯状電極２６にＡ、Ｂ、Ｃ、Ｄの符号を付してこの電圧信号を区別している。
【００２５】
この固定子２３の帯状電極２６の配設面に対向して移動子２４が配置されている。移動子２４には、固定子２３との対向面に永久分極された上述した誘電体（エレクトレット）２８を複数（図４では代表的に２８ａ、２８ｂ）備えている。
同図の左に示す駆動回路２７では、パルス発生回路２９で矩形波列（駆動パルス信号）が生成され、この駆動パルス信号が昇圧回路３１と位相器３２に供給される。昇圧回路３１では、入力した駆動パルス信号を１００Ｖ程度まで昇圧するとともに、２つの極性を有する電圧信号に分岐して、帯状電極Ａ及びＣに供給する。
【００２６】
他方、位相器３２に入力した駆動パルス信号は、９０°位相が遅れた波形となり、その後、昇圧回路３１に入力されて、上述と同様の２つの極性を有する電圧信号に分岐されて帯状電極Ｂ及びＤに供給される。
図５は、駆動回路２７によって生成されて帯状電極２６に印加される電圧信号列を示す図である。帯状電極２６の電圧の状態は、期間Ｔにおけるｔ１〜ｔ４の４つの状態変化が時間ｔにおける期間Ｔごとの経過に対応して繰り返される。
【００２７】
図６は、上記のエレクトレットシャッタの動作を更に説明する図である。同図(a) は図５において各帯状電極２６（Ａ，Ｂ，Ｃ，Ｄ）の電圧状態が、図５に示したｔ１の印加電圧の状態に切り替った直後のエレクトレットと帯状電極との対応関係を示している。
エレクトレット２８ａは、帯状電極Ａから反発力を受け、帯状電極Ｂから吸引力を受ける。また、エレクトレット２８ｂは、帯状電極Ｃから反発力を受け、帯状電極Ｄから吸引力を受ける。このため、移動子２４は図の右方向に力を受けて、１つの帯状電極ピッチｄだけ移動する。
【００２８】
図６(b) は、上記に続いて図５に示したｔ２の印加電圧の状態に切り替った直後のエレクトレットと帯状電極との対応関係を示している。エレクトレット２８ａは、帯状電極Ｂから反発力を受け、帯状電極Ｃから吸引力を受ける。また、エレクトレット２８ｂは、帯状電極Ｄから反発力を受け、帯状電極Ａから吸引力を受ける。このため、移動子２４は図の右方向に力を受けて、再び１つの帯状電極ピッチｄだけ移動する。
【００２９】
図６(c) は、上記に続いて図５に示したｔ３の印加電圧の状態に切り替った直後のエレクトレットと帯状電極との対応関係を示し、図６(d) は、同図(c) に続いて図５に示したｔ４の印加電圧の状態に切り替った直後のエレクトレットと帯状電極との対応関係を示している。図６(a),(b) で説明した動作と同様に、移動子２４は、１つの帯状電極ピッチｄだけ順次移動する。
【００３０】
そして、この動作が繰り返されることにより、移動子２４は図の右方向に移動する。なお、移動子２４を図の左方向に移動させるためには、帯状電極２６に印加する電圧の極性を逆に切り替えればよい。
このように、本例の移動子２４は、それ自体が半永久的な分極帯電部を備えているので、例えば誘導電荷形アクチュエータのように、電圧印加、電荷蓄電及び静電誘導を繰り返す手数と時間を要することなく、単に駆動電圧の印加だけで移動子を迅速に駆動することができる。
【実施例１】
【００３１】
図７(a) は、上述したフォーカルプレーンシャッタ装置７（以下、シャッタユニット７という）及び光学フィルタで構成された上記撮像装置４の実施例１としての撮像ユニット３３を示す斜視図であり、同図(b) は、その撮像ユニット３３を、その撮像ユニット３３が組み付けられる光電変換素子としての撮像素子と共に示す分解斜視図である。
【００３２】
同図(b) において、組み立て後の撮像素子３４は、撮像素子固定板３５を介して回路基板３６と電気的に接続される。そして、そのように撮像素子３４、撮像素子固定板３５、回路基板３６が組みつけられたユニットに、シャッタ枠３７が、回路基板３６のネジ孔３８、撮像素子固定板３５のネジ孔３９、及びシャッタ枠３７のネジ孔４１に挿通される不図示のネジによりネジ止めされる。
【００３３】
このシャッタ枠３７にシャッタユニット７が固定される。シャッタユニット７には（以下、図７(a) も参照）、光軸Ｏの光束入光側に光学フィルタ４２が接着等で固定されている。換言すれば、光学フィルタ４２は、シャッタユニット７の撮像素子３４とは反対側に設けられている構成となっている。
【００３４】
尚、上記の光学フィルタ４２は、高周波成分の透過を制限する機能を有するフィルタを使用してもよく、また、可視域外の光線の透過を制限する機能を有するフィルタを使用するようにしてもよい。
そして、本例の撮像ユニット３３は、保持手投としてのシャッタユニット固定部材４３及びシャッタ枠３７を備えている。シャッタユニット７、及び光学フィルタ４２は、上記の状態で、シャッタ枠３７に収納され、シャッタユニット固定部材４３によりシャッタ枠３７に組み付けられる。
【００３５】
本実施例のシャッタ枠３７の内周面には、シャッタユニット７の外周面を受け止め、シャッタユニット７を光軸Ｏの直角方向に対して立置決めするための位置決め突起４４が６ケ所に設けられている。
また、シャッタユニット７は、対向するシャッタ枠３７の内側面４５により光軸Ｏ方向に位置決めされている。シャッタ枠３７のシャッタユニット７と対向する上記内側面４５のシャッタ枠内壁に接する縁部分には凹部４６が設けられており、シャッタユニット７がシャッタ枠３７の平坦な内側面４５で確実に位置決めされるように構成されている。シャッタユニット７固定部材４３には、４個所の爪部４７があり、スナップフィット機構によりシャッタユニット７（従って本例ではシャッタユニット７に一体に接着されている光学フィルタ４２も）をシャッタ枠３７に組みつけている。
【００３６】
このスナップフィット機構について詳しく説明すると、シャッタユニット固定部材４３の上２箇所、下２個所の合計４箇所にある爪部４７がシャッタ枠３７の切り欠き部４８に上下に広がりながら挿入され、爪部４７の鉤部４７−１がシャッタ枠３７の上記切り欠き部４８の外側面４８−１（図では下の外側面４８−１は陰になって見えない）に至ったとき爪部４７の鉤部４７−１が切り欠き部４８の外側面４８−１に上から（または下から）回り込むように引っ掛かることにより爪部４７が元の状態に戻る。
【００３７】
よって、爪部４７を、お互いに、つまり上下に広がる方向に広げることにより、光学フィルタ４２が接着されたシャッタユニット７を、容易に撮像ユニット３３から取り外すことができる。
この構成で、シャッタユニット７は、シャッタユニット固定部材４３によりシャッタ枠３７に押え付けられるようにして組みつけられる。つまり、このシャッタユニット７は、シャッタユニット固定部材４３の対向面４３−１により厚み方向に押圧され、シャッタ枠３７の内側面４５との間で固定されるようになっている。
【００３８】
本例では、シャッタユニット固定部材４３がシャッタユニット７を厚み方向に押圧する際に、シャッタユニット７の被押圧面側に接着されている光学フィルタ４２と干渉しないように、シャッタユニット固定部材４３の物理的貫通孔により形成されている光学的開口部４９は。その開口部を形成する開口内周面が光学フィルタ４２が緩やかに嵌入する内側枠４９−２と、光学フィルタ４２の周囲寸法よりもやや小さい周囲寸法で形成された外側枠４９−１から成る段差付きの内周面を有する開口部を形成している。
【００３９】
尚、シャッタユニット固定部材４３の爪部４７は、図２のシャッタユニット７の分解斜視図に示す遮光幕（第１の遮光幕１０及び第２の遮光幕１２）の移動方向に撮像素子３４よりも広い幅の間隔をもって配置されている。これにより撮像素子３４の図の左右方向外側でシャッタ枠３７と爪部４７が係合するため、撮像ユニット３３の上下方向の寸法を必要以上に大きくすることなく撮像ユニット３３を構成することができる。
【実施例２】
【００４０】
図８(a) は、撮像装置４の実施例２としての撮像ユニット５０を示す斜視図であり、同図(b) は、その撮像ユニット５０を、その撮像ユニット５０が組み付けられる撮像素子と共に示す分解斜視図である。
本例において、同図(b) に示す光学フィルタ４２とシャッタユニット７の構成は、接着で一体化されずそれぞれ独立に組み付けられる点を除けば、個々の構成は図７の光学フィルタ４２及びシャッタユニット７の場合と同一である。また、図８(b) に示すシャッタ枠３７、撮像素子３４、撮像素子固定板３５、及び回路基板３６の構成、及びこれらの部材がそれぞれのネジ孔（番号の図示省略）に挿通される不図示のネジによりネジ止めされる組み付け方法も、図７の場合と同一である。
【００４１】
そして、図８に示す本例の撮像ユニット５０の場合は、図７に示したシャッタユニット固定部材４３に代って、光学フィルタ保持枠５１が設けられる。光学フィルタ保持枠５１には、撮像素子３４の撮像面に対応して物理的貫通孔により光学的開口部５２が形成されている。この光学的開口部５２は。その開口部を形成する開口内周面が光学フィルタ４２が外側から嵌入して接着固定される外側枠５２−１と、その光学フィルタ４２の光軸Ｏ方向の位置を位置決めする内側枠５２−２とから成る段差付きの内周面を有する開口部を形成している。
【００４２】
この光学フィルタ保持枠５１は、物理的光学的開口部５２の開口内周面の形状と、これに接着固定される光学フィルタ４２を保持するという機能が図７の場合と異なる点を除けば、図７の場合と同様の構成であり、つまりシャッタユニット固定部材の機能も兼ね備えている。すなわち、本例においては、シャッタユニット７は、シャッタ枠３７に収納され、光学フィルタ４２が接着等で固定された光学フィルタ保持枠５１により、図７の場合と同様にしてシャッタ枠３７に組み付けられる。
【００４３】
この構成により、本例においては、光学フィルタ保持枠５１の上下の爪部４７をお互いに、つまり上下に広がる方向に広げることにより、光学フィルタ４２が接着された光学フィルタ保持枠５１とシャッタユニット７とを、容易に撮像ユニット５０から取り外すことができる。
【実施例３】
【００４４】
図９(a) は、撮像装置４の実施例３としての撮像ユニット５３を示す斜視図であり、同図(b) は、その撮像ユニット５３を、その撮像ユニット５３が組み付けられる撮像素子と共に示す分解斜視図である。
本例において、同図(b) に左から示すシャッタユニット固定部材４３、光学フィルタ４２、シャッタユニット７、シャッタ枠３７、撮像素子３４、撮像素子固定板３５、及び回路基板３６の構成、及びこれらの部材がそれぞれのネジ孔（番号の図示省略）に挿通される不図示のネジ又はシャッタユニット固定部材４３の爪部４７により組み付けられる方法は、光学フィルタ４２とシャッタユニット７が接着で一体化されずそれぞれ独立に組み付けられる点と、これら光学フィルタ４２とシャッタユニット７の間に弾性部材５４が介装される点を除けば、図７の場合と同一である。
【００４５】
本例において、弾性部材５４は、光軸Ｏに沿って透過する光束の範囲外に設けられる額縁状の部材であり、例えばネオプレンゴム、ブタジエンゴム等の樹脂を材料として形成されている。
シャッタ枠３７に、シャッタユニット７、弾性部材５４、及び光学フィルタ４２の順に積層し、シャッタユニット固定部材４３の爪部４７をシャッタ枠３７の切り欠き部４８の外側面４８−１に係合させたとき、弾性部材５４の弾性力によって、一方ではシャッタユニット７がシャッタ枠３７に向けて押圧され、他方では光学フィルタ４２がシャッタユニット固定部材４３に向けて押圧されて、全体が固定される構成である。
【００４６】
本例の構成においては、図７又は図８の場合のように、光学フィルタ４２とシャッタユニット７、又はシャッタユニット固定部材４３と光学フィルタ４２には、それぞれ接着部分が無いので、シャッタユニット固定部材４３をシャッタ枠３７から取り外すことにより、光学フィルタ４２のみを（シャッタユニット７も同様）容易に取り外すことができる。
【実施例４】
【００４７】
図１０(a) は、撮像装置４の実施例４としての撮像ユニット５５を示す斜視図であり、同図(b) は、その撮像ユニット５５を、その撮像ユニット５５が組み付けられる撮像素子と共に示す分解斜視図である。
本例において、図１０に示すシャッタユニット７、光学フィルタ４２、撮像素子３４、撮像素子固定板３５、及び回路基板３６の構成は、図９の場合と同一である。但し、上述した実施例１〜３では、光学フィルタ４２が常にシャッタユニット７よりも光束の入光側に配置されていたが、本例では光学フィルタ４２がシャッタユニット７よりも撮像素子側に配置される。
【００４８】
また、この配置により、本例のシャッタユニット固定部材５６の光学的開口部５７は、図７又は図９の場合のように光学フィルタ４２と競合することもなく、また、図８の場合のように光学フィルタ４２を保持する必要もないので、開口内周面に段差部の無い単なる開口部となっており、シャッタユニット７との対抗面５６−１を形成する基部５８の厚さも、図７〜図９の場合よりも薄く形成されている。このような点を除けばシャッタユニット固定部材５６の爪部４７や鉤部４７−１の構成は図７の場合と同一である。
【００４９】
他方、上記のようにシャッタユニット固定部材５６の基部５８の厚さが薄くなった分だけ、本例のシャッタ枠５９は厚く形成される。そして、その内部の光学的開口部６１の手前（光束の入光側）に、光学フィルタ４２を収容する光学フィルタ保持部６２が設けられる。光学フィルタ保持部６２と光学的開口部６１との境界には、光学フィルタ４２を光軸Ｏ方向に位置決めするための段差部６３が形成されている。
【００５０】
本例では、光学フィルタ４２は、シャッタ枠５９の光学フィルタ保持部６２に、予め接着剤等で固定される。尚、光学フィルタ４２は、シャッタ枠５９に接着剤等で固定するのではなく、実施例３のように、額縁状の弾性部材５４を光学フィルタ４２とシャッタユニット７の間に介在させて固定するようにしてもよい。
【００５１】
本例においても、撮像素子３４が撮像素子固定板３５を介して回路基板３６と電気的に接続され、そのように撮像素子３４、撮像素子固定板３５、回路基板３６が組みつけられたユニットに、シャッタ枠５９がネジ孔及び不図示のネジを介してネジ止めされることは、図７の場合と同一であり、また、シャッタユニット７がシャッタユニット固定部材５６によりシャッタ枠５９に固定される方法も、図７又は図９に示したシャッタユニット固定部材４３又は図８に示した光学フィルタ保持枠５１の場合とほぼ同様である。
【００５２】
このように、本発明の撮像装置によれば、上述した実施例１〜４に示したように、シャッタユニットに光学フィルタ着脱自在に設けるので、工場での組み立て時、又は保守時の交換が容易となり、これにより、製造歩留まりの向上、保守時のコストダウン等に貢献できるようになる。
【００５３】
ところで、上述した各実施例においては、シャッタユニットは２枚の遮光幕を有するものとしていたが、それに限らず、１枚または３枚以上遮光幕を有するものであっても上述した実施例と同様の効果を期待できることはいうまでもない。
【図面の簡単な説明】
【００５４】
【図１】(a) は本発明の撮像装置が組み込まれた一眼レフデジタルカメラ本体の交換レンズを取り外した正面図、(b) はその交換レンズの正面図である。
【図２】(a) は本発明の撮像装置に組み込まれるフォーカルプレーンシャッタ装置の一例を示す分解斜視図、(b) は(a) のＡ矢視図である。
【図３】(a),(b) は本発明の撮像装置に係わるシャッタ機構の駆動原理を説明する図である。
【図４】本発明の撮像装置に係わるシャッタ機構のエレクトレットシャッタとその駆動回路を模式的に示す図である。
【図５】エレクトレットシャッタの駆動回路によって生成されて帯状電極に印加される電圧信号列を示す図である。
【図６】エレクトレットシャッタの動作を更に説明する図である。
【図７】(a) は実施例１としての撮像ユニットを示す斜視図、(b) はその撮像ユニットを撮像素子と共に示す分解斜視図である。
【図８】(a) は実施例２としての撮像ユニットを示す斜視図、(b) はその撮像ユニットを撮像素子と共に示す分解斜視図である。
【図９】(a) は実施例３としての撮像ユニットを示す斜視図、(b) はその撮像ユニットを撮像素子と共に示す分解斜視図である。
【図１０】(a) は実施例４としての撮像ユニットを示す斜視図、(b) はその撮像ユニットを撮像素子と共に示す分解斜視図である。
【符号の説明】
【００５５】
１      一眼レフデジタルカメラ本体
２      交換レンズ取り付け部
３      交換レンズ
４      撮像装置
５      握り部
６      シャッタボタン
７      フォーカルプレーンシャッタ装置（シャッタユニット）
８      第１の基板
９      第１のスペーサ
１０    第１の遮光幕
１１    仕切兼干渉防止部材
１２    第２の遮光幕
１３    第２のスペーサ
１４    第２の基板
１５    光学的開口部
１６    塗装
１７    遮光幕非移動部
１８    帯状電極
１９    光学的開口部
２１    遮光幕非移動部
２２    帯状電極
２３    固定子
２４    移動子
２５    光学的開口部
２６    帯状電極（駆動電極）
２７    駆動（電圧印加）回路
２８（２８ａ、２８ｂ）  誘電体（エレクトレット）
２９    パルス発生回路
３１    昇圧回路
３２    位相器
３３    撮像ユニット
３４    撮像素子
３５    撮像素子固定板
３６    回路基板
３７    シャッタ枠
３８、３９、４１  ネジ孔
４２    光学フィルタ
４３    シャッタユニット固定部材
４３−１  対向面
Ｏ      光軸
４４    位置決め突起
４５    内側面
４６    凹部
４７    爪部
４７−１  鉤部
４８    切り欠き部
４８−１  外側面
４９   光学的開口部
４９−１  外側枠
４９−２  内側枠
５０    撮像ユニット
５１    光学フィルタ保持枠
５２    光学的開口部
５２−１  外側枠
５２−２  内側枠
５３    撮像ユニット
５４    弾性部材
５５    撮像ユニット
５６    シャッタユニット固定部材
５６−１  対抗面
５７    光学的開口部
５８    基部
５９    シャッタ枠
６１    光学的開口部
６２    光学フィルタ保持部
６３    段差部
【図１】
2005326752.tif 000003
【図２】
2005326752.tif 000004
【図３】
2005326752.tif 000005
【図４】
2005326752.tif 000006
【図５】
2005326752.tif 000007
【図６】
2005326752.tif 000008
【図７】
2005326752.tif 000009
【図８】
2005326752.tif 000010
【図９】
2005326752.tif 000011
【図１０】
2005326752.tif 000012